(57)【要約】【課題】従来のソーラーセル付き電子時計は、文字板の見返し部に沿ってソーラーセルを湾曲させて貼り付けるが、この湾曲歪みに起因して、ソーラーセルの下部電極と上部電極に亀裂や断線が発生し、この結果、ソーラーセルの光起電力を得られなくなってしまうという問題があった。【解決手段】ソーラーセルを、帯状の樹脂基板の長辺の一辺に沿って、保護膜から露出して下部電極に接続する、下部電極よりもヤング率が小さい材料からなる第１の接続配線と、帯状の樹脂基板の長辺の他の一辺に沿って、保護膜から露出して上部電極に接続する、上部電極よりもヤング率が小さい材料からなる第２の接続配線とを有し、光電変換層で発生する光起電力が、第１、第２の接続配線を介して、帯状の樹脂基板の一端に集約されて、第１、第２の取り出し電極から外部に導出する構成とした。【選択図】図２
2009076560.tif 000002
【特許請求の範囲】
【請求項１】
短辺と長辺を有する帯状の樹脂基板の表面から、下部電極と光電変換層と上部電極と保護膜とを順次積層してなるソーラーセルにおいて、
前記ソーラーセルには、前記帯状の樹脂基板の長辺の一辺に沿って、前記保護膜から露出して前記下部電極に接続する、前記下部電極よりもヤング率が小さい材料からなる第１の接続配線と、前記帯状の樹脂基板の長辺の他の一辺に沿って、前記保護膜から露出して前記上部電極に接続する、前記上部電極よりもヤング率が小さい材料からなる第２の接続配線とを有し、
前記光電変換層で発生する光起電力が、前記第１、第２の接続配線を介して、第１、第２の取り出し電極から外部に導出される構成とした
ことを特徴とするソーラーセル。
【請求項２】
前記第１、第２の接続配線は、樹脂中に導電性粉末を含む導電ペーストである
ことを特徴とする請求項１に記載のソーラーセル。
【請求項３】
請求項１または２に記載のソーラーセルを湾曲させて、文字板の外周部に、当該文字板に対して略垂直に配置した
ことを特徴とするソーラーセル付き電子時計。
【発明の詳細な説明】
【技術分野】
【０００１】
本発明は、ソーラーセルにより発生する光起電力を動力源とするソーラーセル、およびそのソーラーセルを搭載したソーラーセル付き電子時計に関する。
【背景技術】
【０００２】
近年は、電子時計の低消費電力化と、ソーラーセルで発電した電力を効率よく充放電できる電子回路の改良により、小面積のソーラーセルで電子時計を駆動できるソーラーセル付き電子時計が数多く提供されている。
【０００３】
従来の、ソーラーセル付き電子時計は、細長い帯状ソーラーセルを風防ガラスと文字板間の内周壁、すなわち見返し部に、文字板に対して略垂直に湾曲配置した構造となっている（例えば、特許文献１参照のこと）。
【０００４】
ここで、特許文献１に記載された従来のソーラーセル付き電子時計を説明する。この従来のソーラーセル付き電子時計は、ケース内に文字板と指針を載せたムーブメントを収容し、文字板表面に配した見返しリングの外周、つまり、文字板と風防ガラスの間隙の文字板外周である、見返しリングの外周に帯状のソーラーセルを配して構成される。外部からの光は、風防ガラスと見返しリングを透過してソーラーセルに到達し、光エネルギーを電気エネルギーに変換して、電子時計を駆動する。
【０００５】
上記構成のソーラーセル付き電子時計とすれば、不透明な文字板を使用することができるようになり、自由な時計のデザイン設計が可能となる。
【０００６】
次に、上記ソーラーセル付き電子時計に搭載されるソーラーセルについて、以下、図面に基づいて説明する。図６（ａ）は、従来のソーラーセルの断面図であり、図６（ｂ）は、従来のソーラーセルの平面図である。
【０００７】
図６（ａ）（ｂ）に示すように、ソーラーセル２１０は、透明な樹脂基板２０１上に、非晶質シリコン膜からなる光電変換層２０３を、下部電極２０２と上部電極２０４とで挟持して構成されている。さらに、光電変換層２０３を含む上部電極２０４の表面は、保護膜２０５で被覆されている。
【０００８】
この樹脂基板２０１側から入射した光は、透明な下部電極２０２を透過して、光電変換層２０３で電気エネルギーに変換された光起電力が、保護膜２０５に設けられた開口部を介して、下部電極２０２と上部電極２０４に接続された第１、第２の取り出し電極２０６ａ、２０６ｂを経て外部に取り出される。
【０００９】
なお、この第１、第２の取り出し電極２０６ａ、２０６ｂは、樹脂基板２０１の長辺方向の一端に集約して形成されている。このような構造にしてあれば、見返しリングの外周にソーラーセルを巻きつけて、第１、第２の取り出し電極２０６ａ、２０６ｂを介して容易に光起電力を取り出すことができ、時計の径サイズ（文字板外形サイズ）が変わっても、共通のソーラーセルを使用できる。
【００１０】
【特許文献１】国際公開２００４／０６６０４２号パンフレット（第６−７頁、第２図、第６図）
【発明の開示】
【発明が解決しようとする課題】
【００１１】
しかしながら、特許文献１に記載のソーラーセルをソーラーセル付き電子時計に搭載した場合に、比較的大きなサイズの男性向け円形文字板のソーラーセル付き電子時計（２６〜３０φ）では特に問題を生じないが、文字板サイズが小さい女性向けソーラーセル付き電子時計（１６〜２０φ）に搭載した場合には、以下の問題が生じる場合がある。
【００１２】
特許文献１に記載の、円形形状の文字板のソーラーセル付き電子時計では、ソーラーセルを見返しリングの外周に沿って湾曲させて配置している。従って、この文字板外形を小さくした場合は、必然的にこのソーラーセルの曲率が大きくなり、ソーラーセルには大きな曲げ応力が掛かり、歪んだ状態となる。
【００１３】
さらに、ソーラーセル２１０における樹脂製の透明基板２０１の熱膨張係数は大きく、対する下部電極２０２を構成する透明導電材料、上部電極２０４を構成する金属層はヤング率は大きく、かつ熱膨張係数は小さい。従って、図６に示したソーラーセル２１０の外部環境条件が常温環境から高温高湿環境に変わると、樹脂製の透明基板２０１は膨張伸縮することで、歪みの加わった下部電極２０２である透明導電材料と、上部電極２０４である金属層に亀裂を生じさせる。特に、この様な温度履歴を繰り返すことで、この亀裂は拡大して、下部電極２０２と上部電極２０４が断線してしまう場合があり、その結果、ソーラーセル２１０で発生する光起電力を得られなくなってしまうという不具合を生じさせる。この様な現象は、ソーラーセルを単セル構造とした場合に、特に顕著となる。
【００１４】
このときの状態を図７に示した。図７は、従来のソーラーセルを大きく湾曲させた際の状態を説明するための図であり、図７（ａ）は、従来のソーラーセルを湾曲させた状態を示す図面であり、本図（ｂ）は、図（ａ）の様にソーラーセルを湾曲させた際に発生する亀裂の状態を示す図面であり、本図（ｃ）は、本図（ａ）（ｂ）におけるＥ−Ｅ’断面を示す図面である。
【００１５】
図７（ａ）に示す様に、従来のソーラーセル２１０を大きく湾曲させると、歪みの加わった下部電極２０２と上部電極２０４には、本図（ｂ）（ｃ）に示す様に、ソーラーセル２１０の短辺方向に向けて亀裂２２１ａや亀裂２２１ｂが生じる。これらの亀裂は、亀裂２２１ａのように下部電極２０２や上部電極２０４の端部に発生して、これが拡大して亀裂２２１ｂのようにソーラーセル２１０の短辺を横断するようになる。
【００１６】
そして、ソーラーセル２１０を横断する亀裂２２１ｂが発生すると、その箇所を境に光電変換層で発生した光起電力を取り出せないセル領域が発生することとなる。
【００１７】
この様に、従来のソーラーセル付き電子時計は、文字板の見返しリングに沿ってソーラーセル２１０を湾曲させて貼り付けるが、この湾曲歪みに起因して、ソーラーセル２１０の下部電極２０２と上部電極２０４に亀裂や断線が発生し、この結果、ソーラーセル２１０の光起電力を得られなくなってしまうという問題があった。
【００１８】
そこで、本発明の目的は、上記課題を解決し、ソーラーセルを大きく湾曲させて様々な環境下にあっても、常に安定して所望の光電変換量を得ることができるソーラーセル、およびそのソーラーセルを備えたソーラーセル付き電子時計を提供することにある。
【課題を解決するための手段】
【００１９】
本発明のソーラーセルおよびソーラーセル付き電子時計は、基本的には下記記載の構成要件を採用するものである。
まず、本発明のソーラーセルは、短辺と長辺を有する帯状の樹脂基板の表面から、下部電極と光電変換層と上部電極と保護膜とを順次積層してなるソーラーセルにおいて、この
ソーラーセルを、帯状の樹脂基板の長辺の一辺に沿って、保護膜から露出して下部電極に接続する、下部電極よりもヤング率が小さい材料からなる第１の接続配線と、帯状の樹脂基板の長辺の他の一辺に沿って、保護膜から露出して上部電極に接続する、上部電極よりもヤング率が小さい材料からなる第２の接続配線とを有し、光電変換層で発生する光起電力が、第１、第２の接続配線を介して、第１、第２の取り出し電極から外部に導出される構成としたことを特徴とするものである。
【００２０】
また、本発明のソーラーセルは、上記第１、第２の接続配線が、樹脂中に導電性粉末を含む導電ペーストであることを特徴とするものである。
【００２１】
また、本発明のソーラーセル付き電子時計は、前述したソーラーセルを湾曲させて、文字板の外周部に、当該文字板に対して略垂直に配置したことを特徴とするものである。
【発明の効果】
【００２２】
以上に述べたように、本発明のソーラーセル付き電子時計では、帯状のソーラーセルの長辺に沿って露出させた下部電極と上部電極の上面に、下部電極と上部電極よりもヤング率の小さい、樹脂中に導電性粉末を含む導電ペーストを積層し、接続配線を設けた構成としている。従って、ソーラーセルを大きく湾曲させて歪みが生じ、さらに、ソーラーセルの外部環境条件が、常温環境から高温高湿環境に変える温度履歴や、この温度履歴を繰り返して行う際に発生する温度ストレスが加わって、下部電極を構成する透明導電材料や、上部電極を構成する金属層の湾曲箇所に亀裂や断線が生じたとしても、柔軟な導電ペーストの接続配線が、下部電極と上部電極の断線部を架橋して導通を保っているため、光電変換層で発電した電力を外部に取り出すことが可能となり、ソーラーセルの機能が損なわれることは無い。
【発明を実施するための最良の形態】
【００２３】
本発明のソーラーセルの最大の特徴は、大きな曲率で湾曲させて電子時計に装着できる信頼性の高いソーラーセルの構造にあるが、本発明のソーラーセル付き電子時計の基本的な構造および外観は、従来技術で説明したソーラーセル付き電子時計と基本構成は同じである。
【００２４】
まず、本発明のソーラーセル付き電子時計の構成について説明する。図１は、本発明のソーラーセル付き電子時計の構成を示す図面であり、本図（ａ）はその正面図を、本図（ｂ）は断面図を示している。
【００２５】
図１（ａ）（ｂ）に示すように、本発明のソーラーセル付き電子時計１００は、ケース１８内に文字板１５と指針１４を載せたムーブメント１７を収容し、ケース１８上面を風防ガラス１３で覆っている。そして、見返し部、つまり、文字板１５と風防ガラス１３の間隙の文字板外周に、ソーラーセル１０が配置されている。
【００２６】
透光性の見返しリング１２の外周には、細長い帯状のソーラーセル１０を貼り付けてあり、文字板１５に対して略垂直に配置される。そして、外部からの光は、風防ガラス１３と見返しリング１２を透過してソーラーセル１０に到達し、光エネルギーを電気エネルギーに変換して、ムーブメント１７に内蔵される二次電池（図示せず）にこの電気エネルギーを蓄える。そして、ここで蓄えられた電気エネルギーにより、電子時計を駆動する。
【００２７】
このソーラーセル１０は、透明樹脂を基板とする可撓性のフレキシブルソーラーセルであって、見返しリング１２の外周の曲率に沿って湾曲させて配置することにより、光エネルギーを、見返しリング１２を透過してソーラーセル１０に取り込む。
【００２８】
この様に、見返し部の外周にソーラーセル１０を配置する利点は、表面が褐色のソーラーセル１０が目立たず、文字板１５の材質やデザインの制約がなくなり、かつ、明るい色の文字板も採用できることである。また、文字板１５外周に透光性の見返しリング１２を配置して、この見返しリング１２の外周に細長い帯状ソーラーセル１０を貼り付けることで、表面が褐色のソーラーセル１０が直接見え難くなるため、さらに時計デザインの自由度が向上する。
【００２９】
次に、上記ソーラーセル付き電子時計に搭載される、本発明のソーラーセルの構成例について説明する。図２（ａ）は、本発明のソーラーセルの平面図であり、図２（ｂ）は、本図（ａ）に示すソーラーセルのＢ−Ｂ’断面に対応した図面である。
【００３０】
図２（ａ）（ｂ）に示す透明な樹脂基板１は、短辺と長辺を有した帯状の形状となっており、成膜工程やエッチング工程に耐えるように、耐熱性、耐化学薬品、機械的強度に優れた、透光性のＰＥＴ（ポリエチレンテレフタレート）やＰＥＮ（ポリエチレンナフタレート）などを用いている。
【００３１】
この帯状の樹脂基板１の表面には下部電極２があって、代表的な透明導電材料のＩＴＯ（インジュウム錫酸化物）の他に、ＺｎＯ（酸化亜鉛）、ＳｎＯ２（酸化錫）等を用いて形成されている。また、この透明な下部電極２上に、ＰＩＮ接合で構成された非晶質半導体の光電変換層３と、アルミニウムやチタン等の金属層である上部電極４と、エポキシなどの樹脂からなる保護膜５が順次積層されている。
【００３２】
また、下部電極２の一部は、樹脂基板１の長辺の一辺に沿って保護膜５から露出している。同様に、上部電極４も、樹脂基板１の長辺の他の一辺に沿って、保護膜５から露出している。
【００３３】
さらに、第１の接続配線７ａと第２の接続配線７ｂが、保護膜から露出する下部電極２、および上部電極４に接続して形成され、第１の接続配線７ａは、帯状のソーラーセル１０の片方の端部に設けられた第１の取り出し電極８ａと接続し、第２の接続配線７ｂは、第１の取り出し電極８ａに隣接して設けられた第２の取り出し電極８ｂと接続している。この様にして、第１と第２の取り出し電極８ａ、８ｂは、帯状のソーラーセル１０の一方の端部に集約して設けられる。
【００３４】
上述した第１、第２の接続配線７ａ、７ｂは、導電性がある材料により形成される。また、第１の接続配線７ａは、下部電極２の透明導電材料よりもヤング率が小さい材料で、第２の接続配線７ｂは、上部電極４の透明導電材料よりもヤング率が小さい材料で形成されていることが重要である。たとえば、この材料には、樹脂中に導電性粉末を含む導電ペーストが適しており、樹脂としてはウレタンやポリエステルなど柔軟な樹脂の他、フェノールやエポキシなど硬い樹脂に、ゴムなど柔らかな材料を混入して、硬化後のヤング率を調整したものを用いる。また、導電性粉末としては、カーボンや銀などを用いる。
【００３５】
なお、第１、第２の接続配線７ａ、７ｂは、下部電極２、上部電極４の電極材料に対応させて、必ずしも異なる材料を用いて形成する必要はなく、両電極材料よりも小さいヤング率を示す導電材料であれば、同じ導電材料を用いた方が、製造上の都合から望ましい。
【００３６】
このような構成にすることにより、ソーラーセル１０は、大きく湾曲させた際の歪みや、外部環境の変化によって生じるストレスが加わって、下部電極２を構成する透明導電材料や、上部電極４を構成する金属層の湾曲箇所に亀裂や断線が生じたとしても、各電極材料よりも柔軟な導電ペーストで形成された第１と第２の接続配線７ａ、７ｂが、保護膜から露出する下部電極２と上部電極４において、それぞれ断線部を架橋して導通を保つこと
ができる。そのため、光電変換層３で発電した光起電力をセルの片方の端部に集約して、第１、第２の取り出し電極８ａ、８ｂから、常に安定して外部に取り出すことが可能となる。
【００３７】
次に、このような構成のソーラーセルの製造プロセスを、図面に基づいて説明する。図３（ａ）〜（ｃ）は、本発明のソーラーセル１０の製造工程を示す図である。
【００３８】
まず、図３（ａ）に示すように、透明な樹脂基板１の表面に、ＩＴＯなどの透明導電材料である下部電極２をスパッタリング法により成膜した後、ウエットエッチング法やドライエッチング法によって下部電極２の不要な部分を除去し、前述したソーラーセルの形状に合わせて、下部電極２を帯状に加工する。
【００３９】
次に、この透明な下部電極２上に、プラズマＣＶＤ法を用いてＰＩＮ接合で構成された非晶質半導体層からなる光電変換層３と、スパッタリング法を用いて形成されたアルミニウムやチタンからなる上部電極４とを、順次積層して形成する。この後、光電変換層３と上部電極４を、ウエットエッチング法やドライエッチング法を用いて帯状に加工する。この際、帯状になった下部電極２の長辺の一辺を、図３（ａ）のように光電変換層３と上部電極４の積層体から露出させ、下部電極２の他の一辺は、光電変換層３と上部電極４の積層体で被覆する形態とする。
【００４０】
次に、図３（ｂ）に示すように、帯状の樹脂基板１の一方の長辺部分に位置する下部電極２の露出部分と、帯状の樹脂基板１の他方の長辺部分に位置する上部電極４の露出部分を除いて、下部電極２と光電変換層３と上部電極４から成る積層体を、保護膜５で被覆する。この保護膜５には、絶縁性と耐環境性の機能を有する保護膜材料を選定し、例えばエポキシ樹脂を使用して、スクリーン印刷法により形成する。
【００４１】
そして、図３（ｃ）に示すように、樹脂中に、カーボンまたは銀のフィラーを含んだ導電性ペーストを使用して、スクリーン印刷法などにより、この保護膜５から露出する下部電極２と上部電極４に接続し、下部電極２と上部電極４が形成された材料よりも、ヤング率が小さい材料からなる第１の接続配線７ａと第２の接続配線７ｂを、それぞれ形成する。
【００４２】
なお、本図に示す様に、第１の接続配線７ａは、樹脂基板１の表面から保護膜５に亘って露出する下部電極部分を被覆して形成されており、下部電極２と電気的に接続するだけでなく、保護膜５から露出している下部電極全体を保護する。
【００４３】
また、第２の接続配線７ｂは、樹脂基板１の表面から保護膜５に亘って露出する上部電極部分を被覆して形成されており、上部電極２と電気的に接続するだけでなく、保護膜５から露出している上部電極全体を保護する。ここで、第１、第２の接続配線７ａ、７ｂは、樹脂基板１の両側長辺にそれぞれ形成されるので、導電ペーストにより第２の接続配線７ｂを形成した際に、下部電極２と上部電極４とが短絡することはない。
【００４４】
また、第１、第２の接続配線７ａ、７ｂと同一工程により、図２(ａ)に示した、光電変換層３で発生する光起電力を、外部に取り出すための第１、第２の取り出し電極８ａ、８ｂに形成する。このようにして本発明のソーラーセル１０が完成する。
【００４５】
次に、本発明のソーラーセル１０を大きく湾曲させた際の作用について説明する。
図４（ａ）は、本発明のソーラーセルを湾曲させた際の部分斜視図である。図４（ｂ）は、このソーラーセルを湾曲させた際に、下部電極と上部電極に生じる亀裂を示した平面図であり、図４（ｃ）は、図４（ａ）のＣ−Ｃ’断面に対応した図面であり図４（ｄ）は、
図４（ａ）のＤ−Ｄ’断面に対応した図面である。なお、本図（ｃ）は、保護膜から露出する下部電極２に接続する第１の接続配線７ａを形成した領域を示しており、本図（ｄ）は、保護膜から露出する上部電極４に接続する第２の接続配線７ｂを形成した領域を示している。
【００４６】
図４(ａ)のように、本発明のソーラーセル１０を大きく湾曲させると、従来の構成と同様に、歪みの加わった下部電極２である透明導電材料と、上部電極４である金属層には、図４（ｂ）に示すような、ソーラーセル１０の短辺方向に、亀裂２１ａや亀裂２１ｂが生じる。これらの亀裂は、亀裂２１ａのように下部電極や上部電極の端部に発生して、これが拡大して亀裂２１ｂのようにソーラーセル１０の短辺を横断するようになる。
【００４７】
このように、図４（ｂ）に示すような亀裂２１ａや亀裂２１ｂの発生は、前記した従来のソーラーセルと同様であるので、図４（ｃ）に示しているように、下部電極２にも亀裂２１ｂが発生することとなる。
【００４８】
ところが、本発明のソーラーセル１０においては、湾曲する端部に沿って下部電極２よりもヤング率の小さい導電ペーストからなる第１の接続配線７ａが形成されているので、例え、ソーラーセル１０を湾曲することによって下部電極２が断線しようとも、亀裂２１ｂによる下部電極２の断線部を架橋して、光電変換層３からの光起電力を導出することが可能となる。
【００４９】
また、図４（ｄ）に示すように、上部電極４についても同様に亀裂２１ｂが発生するが、本発明のソーラーセル１０においては、上部電極４よりもヤング率の小さい導電ペーストからなる第２の接続配線７ｂが形成されているので、例え、ソーラーセル１０を湾曲することによって上部電極４が断線しようとも、亀裂２１ｂによって上部電極４の断線部を架橋して、光電変換層３からの光起電力を導出することが可能となる。
【００５０】
すなわち、従来のソーラーセルを備えたソーラーセル付き電子時計は、ソーラーセルの透明導電材料からなる下部電極と、金属層からなる上部電極に亀裂が生じることで、ソーラーセルの発電機能が消失してしまうが、図４（ａ）〜（ｄ）に示した本発明のソーラーセル１０を備えたソーラーセル付き電子時計では、仮に下部電極や上部電極２に亀裂２１ａ、２１ｂが生じたとしても、第１の接続配線７ａと第２の接続配線７ｂが、それぞれ下部電極２と上部電極４の断線部を架橋するので、安定した導通状態を確保し、ソーラーセル１０の機能は、そのまま維持される。
【００５１】
この様に、本発明の構成では、帯状のソーラーセル１０の長辺に沿って露出させた下部電極２と上部電極４の上面に、下部電極２と上部電極４よりもヤング率の小さい、樹脂中に導電性粉末を含む導電ペーストを積層した第１、第２の接続配線７ａ、７ｂを設けた構成としている。したがって、ソーラーセル１０を大きく湾曲させて歪みが生じ、さらに、ソーラーセル１０の外部環境条件が、常温環境から高温高湿環境に変える温度履歴や、この温度履歴を繰り返して行う際に発生する温度ストレスが加わって、下部電極２を構成する透明導電材料や、上部電極４を構成する金属層の湾曲箇所に亀裂や断線が生じたとしても、柔軟な導電ペーストの第１、第２の接続配線７ａ、７ｂが、下部電極２と上部電極４の断線部を架橋して導通を保つ。そのため、光電層３で発電した光起電力を安定して外部に取り出すことが可能となり、ソーラーセルの機能が損なわれることは無い。したがって、このソーラーセルを備えたソーラーセル付き電子時計は、信頼性の高い時計となる。
【００５２】
次に、本発明のソーラーセル付き電子時計に搭載されるソーラーセルの他の構成を、図５（ａ）（ｂ）を用いて説明する。図５（ａ）（ｂ）は、本発明のソーラーセルの他の構成を示す図面である。
【００５３】
図５（ａ）に示す様に、本発明のソーラーセル１０は、第１、第２の取り出し電極８ａ、８ｂが、第１、第２の接続配線７ａ、７ｂの略中央に配置された形態としている。このような構成とすれば、図２（ａ）に示した第１、第２の取り出し電極８ａ、８ｂを帯状のソーラーセル１０の端部に集約した構成と比較して、ソーラーセル１０の端部から第１、第２の取り出し電極８ａ、８ｂまでの距離が近くなるため、光電変換層で発電した光起電力を取り出す際のエネルギー損失を、軽減することができる。
【００５４】
また、図５（ｂ）に示す様に、第１の接続配線７ａをそのまま取り出し電極とし、第２の接続配線７ｂも同様に取り出し電極とした形態としても良い。このような形態とすることにより、光電変換層で発電した光起電力を、ソーラーセル１０の任意の位置から外部へ取り出すことが可能となる。
【００５５】
そして、この様に構成した図５（ａ）（ｂ）に示す本発明のソーラーセル１０を大きな曲率で湾曲させたとしても、先に示した形態と同様に、柔軟な導電ペーストからなる第１、第２の接続配線７ａ、７ｂが、下部電極と上部電極の断線部を架橋して導通を保っているため、光電変換層で発電した光起電力を、安定して外部に取り出すことが可能となり、ソーラーセルの機能が損なわれることは無い。したがって、このソーラーセルを備えたソーラーセル付き電子時計も、信頼性の高い時計となる。
【図面の簡単な説明】
【００５６】
【図１】本発明のソーラーセル付き電子時計の構成を示す図面である。
【図２】本発明のソーラーセルの平面図および断面図である。
【図３】本発明のソーラーセルの製造工程を示す図である。
【図４】本発明のソーラーセルを大きく湾曲させた際の状態を説明するための図である。
【図５】本発明のソーラーセルの他の構成例における平面図である。
【図６】従来のソーラーセル付き電子時計に搭載されるソーラーセルの断面図と平面図である。
【図７】従来のソーラーセルを大きく湾曲させた際の状態を説明するための図である。
【符号の説明】
【００５７】
１  樹脂基板
２  下部電極
３  光電変換層
４  上部電極
５  保護膜
７ａ  第１の接続配線
７ｂ  第２の接続配線
８ａ  第１の取り出し電極
８ｂ  第２の取り出し電極
１０  ソーラーセル
１２  見返しリング
１４  指針
１５  文字板
１７  ムーブメント
１８  ケース
２１ａ、２１ｂ  亀裂
１００  ソーラーセル付き電子時計
【図１】
2009076560.tif 000003
【図２】
2009076560.tif 000004
【図３】
2009076560.tif 000005
【図４】
2009076560.tif 000006
【図５】
2009076560.tif 000007
【図６】
2009076560.tif 000008
【図７】
2009076560.tif 000009